(57)【特許請求の範囲】
【請求項１】
表皮材の左右方向の幅より断熱材の左右方向の幅が長い断熱パネルであって、断熱材の表裏のうちの少なくとも一方に表皮材が一体化されてなる断熱パネルであり、
前記表皮材の左右の端縁には、面板部から裏面側へ折曲され、その下端を端縁側へ延在させた成形部がそれぞれ設けられ、各成形部の先端には表面側へ折曲された水返し部が設けられ、
前記断熱材の左右方向の一方のみの端部に薄肉部分を形成し、
前記表皮材の一方の成形部を前記断熱材の薄肉部分に添わせ、他方の成形部を前記断熱材の端縁から突出させてなり、
左右に隣り合う断熱パネルの各表皮材の水返し部が前記断熱材の薄肉部分上にて対向するように下地上に固定し、当該接続部分を覆うように防水シート材を取り付けて接続可能であることを特徴とする断熱パネル。
【請求項２】
流れ方向端縁に表皮材が断熱材端縁より延出する重合部を設けたことを特徴とする請求項１に記載の断熱パネル。
【請求項３】
請求項１又は２に記載の断熱パネルを左右に隣接させて接続する接続構造であって、
左右に隣り合う断熱パネルの各表皮材の水返し部が前記断熱材の薄肉部分上にて対向するように下地上に固定し、当該接続部分を覆うように防水シート材を取り付けてなることを特徴とする断熱パネルの接続構造。
【請求項４】
重合部が隣接する表皮材上に配設されると共に、当該接続部分に防水シート材を取り付けてなることを特徴とする請求項３に記載の断熱パネルの接続構造。
【請求項５】
各表皮材の水返し部に跨る連結材を配し、該連結材を固定具にて下地に固定したことを特徴とする請求項３又は４に記載の断熱パネルの接続構造。
【発明の詳細な説明】
【技術分野】
【０００１】
本発明は、所定厚みを備える断熱材の表裏面の何れか又は両面に金属面材等の表皮材を一体化してなり、しかもその端縁に水返し部を設けた構成であるため、その接続構造において、雨水の浸入を確実に防止できる断熱パネル、及びその接続構造に関する。
【背景技術】
【０００２】
従来、建築物の壁材として、表裏面材と断熱等の諸性能を有する充填材からなるサンドイッチパネルが特許文献１，２など多数提案されている。
上記特許文献１，２などに開示されるサンドイッチパネルは、表裏面材間に発泡性の充填材を注入し、発泡させることで一体化を図るものであり、耐火、断熱性、漏水防止が果たされるものである。
一方、これらサンドイッチパネルを用いた屋根防水構造が特許文献３などに提案されている。
上記特許文献３に記載の屋根防水構造は、表裏面材のうちの表面材が、防水層として合成樹脂層を被覆した金属板であり、このようなサンドイッチパネルを接続し、該接続部分（繋ぎ目部Ｊ）にネジ部材１０にて円盤状の押さえプレート１１を固定し、更にその上から帯状繋ぎ目防水シート４を覆うように取り付けた構成である。
【先行技術文献】
【特許文献】
【０００３】
【特許文献１】特許第２６９１３８８号公報
【特許文献２】特許第４０２８７８０号公報
【特許文献３】特開２００８−１６３６７１号公報
【発明の開示】
【発明が解決しようとする課題】
【０００４】
しかしながら、前記特許文献１，２に記載されるサンドイッチパネルは、その製造設備が高価であると共に、設備自体が大型であるが故に大規模な設置スペースを必要とし、設備導入には多大な費用がかかるという問題があった。
また、前記特許文献３に記載の屋根防水構造は、パネル同士の接続部分（繋ぎ目部Ｊ）にネジ部材１０を打ち込む構造であるため、その上の帯状繋ぎ目防水シート４に破損が生じたり、端縁が捲れたりして雨水の浸入があった場合に漏水が避けられないという問題があった。
【０００５】
そこで、本発明は、前述の問題を解消することができ、パネルの製造を低コストで行うことができ、しかもその接続構造において、雨水の浸入を確実に防止できる断熱パネル、及びその接続構造を提案することを目的とする。
【課題を解決するための手段】
【０００６】
本発明は、上記に鑑み提案されたもので、表皮材の左右方向の幅より断熱材の左右方向の幅が長い断熱パネルであって、断熱材の表裏のうちの少なくとも一方に表皮材が一体化されてなる断熱パネルであり、前記表皮材の左右の端縁には、面板部から裏面側へ折曲され、その下端を端縁側へ延在させた成形部がそれぞれ設けられ、各成形部の先端には表面側へ折曲された水返し部が設けられ、前記断熱材の左右方向の一方のみの端部に薄肉部分を形成し、前記表皮材の一方の成形部を前記断熱材の薄肉部分に添わせ、他方の成形部を前記断熱材の端縁から突出させてなり、左右に隣り合う断熱パネルの各表皮材の水返し部が前記断熱材の薄肉部分上にて対向するように下地上に固定し、当該接続部分を覆うように防水シート材を取り付けて接続可能であることを特徴とする断熱パネル関するものである。
【０００７】
また、本発明は、前記断熱パネルにおいて、流れ方向端縁に表皮材が断熱材端縁より延出する重合部を設けたことを特徴とする断熱パネルをも提案する。
【０００８】
さらに、本発明は、前記構成の断熱パネルを左右に隣接させて接続する接続構造であって、左右に隣り合う断熱パネルの各表皮材の水返し部が前記断熱材の薄肉部分上にて対向するように下地上に固定し、当該接続部分を覆うように防水シート材を取り付けてなることを特徴とする断熱パネルの接続構造をも提案するものである。
【０００９】
また、本発明は、前記断熱パネルの接続構造において、重合部が隣接する表皮材上に配設されると共に、当該接続部分に防水シート材を取り付けてなることを特徴とする断熱パネルの接続構造をも提案する。
【００１０】
また、本発明は、前記断熱パネルの接続構造において、各表皮材の水返し部に跨る連結材を配し、該連結材を固定具にて下地に固定したことを特徴とする断熱パネルの接続構造をも提案する。
【発明の効果】
【００１２】
本発明の断熱パネルは、断熱材の表裏面の何れか又は両面に金属面材等の表皮材を一体化してなり、それぞれ別々に作製した断熱材及び表皮材を一体化させればよく、特別な製造設備を用いることなく安価にサンドイッチパネルを得ることができる。
また、表皮材の成形部と水返し部とで略樋状の排水部分を形成するので、その接続構造において、仮に雨水の浸入があった場合にも、前記排水部分にて浸入した雨水等を流下させてその浸入を確実に防止することができ、防水構造として利用することができる。
【００１３】
また、流れ方向端縁に表皮材が断熱材端縁より延出する重合部を設けた断熱パネルは、流れ方向における接続を極めて容易に行うことができる。
【００１４】
さらに、本発明の断熱パネルの接続構造は、接続部分を防水シート材で覆うので、雨水等が侵入するのを簡易的構造で防ぐことができ、断熱パネルによって構築される屋根面や壁面を接続部分が密封された状態の防水構造とすることができる。
したがって、本発明の断熱パネルを用いた防水構造は、従来では断熱パネル等の採用が難しかった住宅等の小規模建築物や倉庫等においても容易に採用でき、安価に断熱性能の優れた居住空間や作業空間を得ることができる。また、安価であるが故に、従来、断熱等が考慮されなかった畜舎等への採用も可能であり、近年の異常気象等から家畜を守ることができる。さらに、本発明の断熱パネルを用いた防水構造を適用した畜舎等は、密封された状態となる（密閉された建築物となる）ため、空気中のチリ等の侵入をも防止でき、チリ等の浮遊物を媒体とした病原菌や、病原菌の媒体となり得る小動物等が建物内に侵入するのを防ぐことも可能である。
【００１５】
また、重合部が隣接する表皮材上に配設されると共に、当該接続部分に防水シート材を取り付けてなる接続構造は、流れ方向における接続部分も防水シート材にて密封された状態とすることができる。
【００１６】
また、各表皮材の水返し部に跨る連結材を配し、該連結材を固定具にて断熱材に固定した接続構造は、断熱パネル同士が接続されると共に、断熱パネル自体の一体化を向上する効果も果たされる。
【図面の簡単な説明】
【００１８】
【図１】（ａ）本発明の断熱パネルの接続構造（防水構造）の一実施例（第１実施例）を示す断面図、（ｂ）他の一実施例（第２実施例）を示す断面図、（ｃ）参考例を示す断面図である。
【図２】（ａ）第１実施例の断熱パネルを示す断面図、（ｂ）第２実施例の断熱パネルを示す断面図、（ｃ）参考例の断熱パネルを示す断面図、（ｄ）連結材を示す断面図、（ｅ）第１及び第２実施例に用いた固定具を示す断面図、（ｆ）参考例に用いた固定具を示す断面図、（ｇ）第１及び第２実施例に用いた防水シート材を示す断面図、（ｈ）参考例に用いた防水シート材を示す断面図、である。
【図３】（ａ）第１実施例の接続構造（防水構造）を施工する手順のうち、左右に隣接する断熱パネルを併設した状態を示す断面図、（ｂ）断熱パネルを構成する断熱材同士を突き合わせた状態を示す断面図、（ｃ）各表皮材の水返し部に跨って連結材を配した状態を示す断面図、（ｄ）連結材を固定具にて固定した状態を示す断面図、（ｅ）当該接続部分を覆うように防水シート材を取り付けた状態を示す断面図である。
【図４】（ａ）第２実施例の接続構造（防水構造）を施工する手順のうち、左右に隣接する断熱パネルを併設した状態を示す断面図、（ｂ）断熱パネルを構成する断熱材同士を突き合わせた状態を示す断面図、（ｃ）各表皮材の水返し部に跨って連結材を配した状態を示す断面図、（ｄ）連結材を固定具にて固定した状態を示す断面図、（ｅ）当該接続部分を覆うように防水シート材を取り付けた状態を示す断面図である。
【図５】（ａ）参考例の接続構造（防水構造）を施工する手順のうち、左右に隣接する断熱パネルを併設した状態を示す断面図、（ｂ）断熱パネルを構成する断熱材同士を突き合わせた状態を示す断面図、（ｃ）各表皮材の成形部を固定具にて固定した状態を示す断面図、（ｄ）当該接続部分を覆うように防水シート材を取り付けた状態を示す断面図である。
【図６】（ａ）第１実施例の断熱パネルを、更に水上側左方に隣接させて敷設する状態を示す斜視図、（ｂ）水上側左方に断熱パネルを配した状態を示す斜視図、（ｃ）水上側右方に断熱パネルを敷設する状態を示す斜視図、（ｄ）水上側右方に断熱パネルを配した状態を示す斜視図、（ｅ）防水シート材を配した状態を示す斜視図、（ｆ）水流れ方向の接続部分を示す側断面図である。
【発明を実施するための形態】
【００１９】
本発明の断熱パネルは、断熱材の表裏のうちの少なくとも一方に表皮材が一体化されてなる構成であり、断熱材及び表皮材の材質や一体化手段は特に限定するものではなく、例えば断熱材としては、各種の樹脂成形板、樹脂フォーム材、木毛セメント板等を用いることができ、例えば表皮材としては、表面化粧鋼板、ラミネート鋼板、メッキ鋼板、ステンレス鋼板、アルミ合金板、チタン合金板、銅板、真鍮板、鉛板等の公知の金属素材等が適宜に用いられ、必要に応じてロール成形、或いはプレス成型、或いは両者の組合せにより成形（成型）したものでもよく、その素材厚は特に限定するものではない。特にその接続構造において、断熱パネル間を覆うように取り付けられる防水シート材を、その表面に容易に接着（融着を含む）できる表面特性を備えるものが望ましい。
【００２０】
前記断熱パネルを構成する表皮材は、その端縁に、面板部から裏面側へ折曲され、その下端を端縁側へ延在させた成形部が設けられ、該成形部の先端には表面側へ折曲された水返し部が設けられた構成であり、前記成形部と前記水返し部とで略樋状の（第１の）排水部分を形成するものである。
また、後述する図１（ｃ）等に示す参考例のように成形部に表面側へ突出する第２水返し部を設けてもよく、この場合、成形部と第２水返し部とで略樋状の（第２の）排水部分が形成される。即ち前記第１の排水部分の面板部側に第２の排水部分が形成されるので、雨水の浸入を防止する効果は更に一層高いものとなる。或いは後述する参考例のように第２の排水部分の外側に固定具を打ち込むようにしてもよい。
なお、後述する図示実施例では、左右の端縁に対称状の成形部及び水返し部を設けたが、これらに限定されるものではなく、異なる形状（左右非対称状）に成形してもよく、例えば一方が他方に重合する形状でもよい。
また、この表皮材は、前記金属素材に限定されるものではなく、例えば金属板の表面に防水シート材が一体的に固定（積層）されている構成でもよい。その場合、金属板の表面に一体化させる防水シート材は、溶着、融着等を含む各種の接着手段にて金属板と一体化できるものであれば特に限定するものではなく、例えば塩ビ系、オレフィン系のプラスチックシート材でもよい。また、塩ビ等の樹脂層に、ポリクロス、フェルト層、ガラス繊維基布、金属等の芯体又は補強体が積層された構成の複合防水シートでもよく、さらに、表皮材と同質の金属等であってもよく、特に耐火（防火）性能に優れた複合防水シートが望ましい。さらに、前述のようにその接続構造において、断熱パネル間を覆うように取り付けられる防水シート材を、その表面に容易に接着（融着を含む）できる表面特性を備えるものが望ましい。
【００２１】
前記断熱パネルを構成する断熱材は、前述の従来技術（特許文献１，２）のように注入発泡型の合成樹脂に限定されないので、各種素材の断熱材を適用することができ、例えば合成樹脂製ボートに限らず木製ボードでもよく、また単層でも複層でもよく、異なる材質の複層構成でもよい。そのため、難燃性、不燃性等の機能性ボード材を用いてもよく、また厚み等についても何等制限がなく、どのような断熱材を用いてもよい。
また、一次発泡させた合成樹脂発泡体を、加熱等の条件を与えて二次発泡させて断熱材としてもよい。この一次発泡体は、二次発泡体に比べて厚みが薄いものであり、特に二次発泡させた際に膨張してその表面にベタ付き（タック）が生ずる（或いは残存する）ものが望ましい。
この断熱材は、後述する図示実施例に示すように全体的には略均一厚みのボード状であるが、その少なくとも一方の端部が薄肉に形成された構成を有する。即ち後述する図１（ａ），（ｂ）等に示す第１及び第２実施例のように一方のみの端部が薄肉に形成される構成でもよいし、後述する図１（ｃ）等に示す参考例のように両端部が薄肉に形成される構成でもよい。
【００２２】
そして、この断熱パネルは、前記断熱材の薄肉の端部に前記表皮材の成形部を添わせて一体化したものであり、前述のように特にその一体化手段を限定するものではなく、溶着や融着等を含む各種の接着手段が全面的に展開されている状態、即ち全面的に接着している状態でもよいし、例えばドット状、縞状などのように部分的に接着していてもよい。尤も、一体化の状態を維持するためには、特に接着面積の少ない部分的な接着では、剥がれずに強力に接着している必要があるが、特に接着手段について限定するものではない。また、熱接着、熱融着等により接着されていてもよいが、自然界にて発生するような熱量以上で接着又は融着されていることが望ましい。
【００２３】
さらに、本発明は、前記断熱パネルの接続構造（＝断熱パネルを用いた防水構造）をも提案するものであり、左右に隣り合う断熱パネルの各表皮材の水返し部が対向するように下地上に固定し、当該接続部分を覆うように防水シート材を取り付けることを特徴とする。
この防水シート材は、溶着、融着等を含む各種の接着手段にて断熱パネルの表皮材と一体化できるものであれば特に限定するものではなく、例えば塩ビ系、オレフィン系のプラスチックシート材でも、金属シート材でも、複合シート材でもよい。また、塩ビ等の樹脂層に、ポリクロス、フェルト層、ガラス繊維基布等の芯体又は補強体が積層された構成の複合防水シートでもよく、特に耐火（防火）性能に優れた複合防水シートが望ましい。
また、下地は、鉄骨・木造からなる躯体（梁、母屋、胴縁、垂木等）、ＲＣ等の躯体であってもよく、或いは前記躯体上に断熱や耐火等の機能を有する板状部材を配したものでもよく、固定具が固着可能なものであればよい。
さらに、左右に隣り合う断熱パネルの断熱材同士は、後述する図示実施例のように突き合わせるように配設してもよいし、対向するように配設してもよく、或いは重合するように配設してもよい。
【００２４】
その際、後述する図１（ａ），（ｂ）等に示す第１及び第２実施例のように各表皮材の水返し部に跨る連結材を配し、該連結材を固定具にて断熱材に固定するようにした場合、断熱パネル同士が接続されることは勿論、それ以外に、断熱パネル自体の一体化を向上する効果も果たされる。
この連結材は、断熱パネルと同等の長さ、又はそれ以上長尺でもよいし、後述する図示実施例のようにピース材でもよい。長尺の連結材を用いた場合には一体化強度が向上する他に水返し部間を覆う被覆効果も果たされる。
【００２５】
また、後述する図１（ｃ）等に示す参考例のように各表皮材の水返し部を突き合わせた状態で、各成形部を固定具にてそれぞれ断熱材に固定した場合、前記成形部に第２水返し部を設ける態様に特に好適であり、前述の連結材を用いた態様に比べて使用する部材点数が少ないという利点がある。
【００２６】
さらに、後述する図６に示す実施例のように、流れ方向端縁に表皮材が断熱材端縁より延出する重合部を設けるようにすると、流れ方向における接続を極めて容易に行うことができる。
そして、当該実施例のように重合部が隣接する表皮材上に配設されると共に、当該接続部分に防水シート材を取り付けてなる接続構造は、流れ方向における接続部分も防水シート材にて密封された状態とすることができる。
【実施例１】
【００２７】
図１（ａ）〜（ｃ）に示す防水構造（断熱パネルの接続構造）を形成する本発明の一実施例である断熱パネル１Ａ〜１Ｃは、断熱材２Ａ〜２Ｃの表裏のうちの少なくとも一方に表皮材３Ａ〜３Ｃが一体化されてなり、前記表皮材３Ａ〜３Ｃの端縁には、面板部３１から裏面側へ折曲され、その下端を端縁側へ延在させた成形部３２が設けられ、該成形部３２の先端には表面側へ折曲された水返し部３３が設けられ、前記断熱材２Ａ〜２Ｃの少なくとも一方の端部２２が薄肉に形成され、前記断熱材２Ａ〜２Ｃの薄肉の端部２２に前記表皮材３Ａ〜３Ｃの成形部３２を添わせてなる。
【００２８】
図１（ａ）に示す第１実施例では、図２（ａ）に示す断熱パネル１Ａ，１Ａを接続したものであり、各表皮材３Ａ，３Ａの水返し部３３，３３に跨る図２（ｄ）に示す連結材４を配し、該連結材４を図２（ｅ）に示す固定具５にて断熱材２Ａを貫通して下地に固定した構成である。
この連結材４は、中央頂部４１の左右の側縁を下方へ折曲して成形部３２，３２の横片に沿わせた押さえ部４２，４２を有する断面略ハット状のピース状の成形体であり、取付ボルトである固定具５を中央頂部４１の上方から打ち込んで表皮材３Ａ，３Ａの成形部３２，３２を下地に固定している。
なお、下地は、前述のように鉄骨・木造からなる躯体（梁、母屋、胴縁、垂木等）を指し、断熱材２Ａの下面に位置するものであるが、特に符号を付していない。
【００２９】
図１（ｂ）に示す第２実施例では、図２（ｂ）に示す断熱パネル１Ｂ，１Ｂを接続したものであり、各表皮材３Ｂ，３Ｂの水返し部３３，３３に跨る図２（ｄ）に示す連結材４を配し、該連結材４を図２（ｅ）に示す固定具５にて断熱材２Ｂを貫通して下地に固定した構成である。
この第２実施例では、第１実施例と全く同じ連結材４及び固定具５を用い、固定具５を連結材４の中央頂部４１の上方から打ち込んで表皮材３Ｂ，３Ｂの成形部３２，３２を下地に固定している。
【００３０】
図１（ｃ）に示す参考例では、図２（ｃ）に示す断熱パネル１Ｃ，１Ｃを接続したものであり、各表皮材３Ｃ，３Ｃの水返し部３３，３３を突き合わせた状態で各成形部３２，３２を図２（ｆ）に示す固定具５'，５'にてそれぞれ断熱材２Ｃを貫通して下地に固定した構成である。
この参考例では、取付ボルトである固定具５'，５'を前記連結材４を用いることなく直接的に成形部３２，３２に打ち込んで下地に固定している。
【００３１】
前記断熱パネル１Ａ〜１Ｃを構成する表皮材３Ａ〜３Ｃは、その端縁に、面板部３１から裏面側へ折曲され、その下端を端縁側へ延在させた成形部３２，３２が設けられ、該成形部３２，３２の先端には表面側へ折曲された水返し部３３，３３が設けられた構成であり、前記成形部３２，３２と前記水返し部３３，３３とで略樋状の排水部分３６を形成している。
第２実施例における表皮材３Ｂは、面板部３１と成形部３２との間に、断熱材２Ｂ側へ段状に折曲した段部３４が形成されている点で、第１実施例における表皮材３Ａと相違する。
また、参考例における表皮材３Ｃは、成形部３２が横長で、その略中央に表面側へ突出する第２水返し部３５が形成され、該第２水返し部３５と成形部３２とで略樋状の第２排水部分３６'を形成している点で、第１実施例における表皮材３Ａと相違する。
【００３２】
また、断熱材２Ａ〜２Ｃは、全体的には略均一厚みのボード状であるが、第１及び第２実施例における断熱材２Ａ，２Ｂは、一方（図面は右端）のみの端部（薄肉部２１）が薄肉に形成され、参考例における断熱材２Ｃは両端部（薄肉部２１，２１）が薄肉に形成されている。
第２実施例における断熱材２Ｂは、前記段部３４を沿わせるくびれ部２２が形成されている点で、第１実施例における断熱材２Ａと相違する。
【００３３】
そして、これらの断熱パネル１Ａ〜１Ｃは、前記断熱材２Ａ〜２Ｃの薄肉の端部２１に前記表皮材３Ａ〜３Ｃの成形部３２を添わせて耐熱性接着剤にて一体化したものであり、各種の防水構造として適用し得る接続構造を形成することができる。
即ち該接続構造は、前記第１実施例を例にすると、左右に隣り合う断熱パネル１Ａ，１Ａの各表皮材３Ａ，３Ａの水返し部３３，３３が対向するように下地上に固定し、当該接続部分を覆うように防水シート材６を取り付ける。
このように形成される接続構造では、表皮材３Ａの成形部３２と水返し部３３とで略樋状の排水部分３６を形成するので、その接続構造において、仮に防水シート材６に破損が生じたり端縁が捲れたりして雨水の浸入があった場合にも、前記排水部分３６にて浸入した雨水等を流下させてその浸入を確実に防止することができ、防水構造として利用することができる。
【００３４】
また、特に前記第２実施例では、面板部３１と成形部３２との間に、断熱材２Ｂ側へ段状に折曲した段部３４を形成した断熱パネル１Ｂを用いたので、前記段部３４に防水シート材６を取り付けることにより、水溜まり等を生じない略平坦な施工面を構築できる。
【００３５】
さらに、前記の第１及び第２実施例では、各表皮材３Ａ（３Ｂ）の水返し部３３に跨る連結材４を配し、該連結材４を固定具６にて断熱材２Ａ（２Ｂ）に固定したので、断熱パネル２Ａ，２Ａ（２Ｂ，２Ｂ）同士が接続されることは勿論、それ以外に、断熱パネル１Ａ（１Ｂ）自体の一体化を向上する効果も果たされる。
【００３６】
また、前記参考例では、成形部３２に表面側へ突出する第２水返し部３５が設けられている断熱パネル１Ｃを用いたので、該第２水返し部３５と成形部３２とで略樋状の第２排水部分３６'を形成することができ、それによって水返し部３３，３３を突き合わせた状態で、各成形部３２，３２を固定具６'，６'にてそれぞれ断熱材２Ｃ，２Ｃに固定することができた。その結果、前記の第１及び第２実施例などに比べて使用する部材点数が少ないという利点があった。
【００３７】
これらの各実施例のように、本発明の断熱パネル１Ａ〜１Ｃの接続構造は、左右方向に隣接する接続部分を防水シート材６，６'で覆うので、雨水等が侵入するのを簡易的構造で防ぐことができ、断熱パネル１Ａ〜１Ｃによって構築される屋根面や壁面を接続部分が密封された状態の防水構造とすることができる。また、各実施例では、断熱材２Ａ〜２Ｃ同士を突き合わせて配設したので、略平坦状の断熱層が分断されること無く連続するものとなる。
【００３８】
図６（ａ）〜（ｅ）は、前記第１実施例を例にして、左右に隣接させた断熱パネル１Ａ，１Ａの更に水上側に隣接させて断熱パネル１Ａ"，１Ａ"を敷設する手順を示す。
まず、図６（ａ）に示すように左右に隣接させて配設した断熱パネル１Ａ，１Ａの水上側左方に、予め表皮材３Ａの流れ方向端縁、即ち水下側の端縁を断熱材２Ａの端縁より長く延出させた重合部３７を有する断熱パネル１Ａ"を臨ませる。
次に、図６（ｂ）に示すように既に敷設している左側の断熱パネル１Ａの成形部３２に、断熱パネル１Ａ"の断熱材２Ａの端縁より水下側へ延在させた成形部３２が重合するように配設する。なお、その際、成形部３２ばかりでなく、図６（ｆ）に示すように面板部３１についても同様に重合させており、更に断熱パネル１Ａ"の断熱材２Ａの水下側の端縁は既に敷設している断熱パネル１Ａの断熱材２Ａの水上側の端縁に突き合わせている。
続いて、同様に図６（ｃ）に示すように水上側右方に、予め表皮材３Ａの水下側の端縁を断熱材２Ａの端縁より長く延在させて一体化した断熱パネル１Ａ"を臨ませる。
次に、図６（ｄ）に示すように既に敷設している右側の断熱パネル１Ａの成形部３２に、断熱パネル１Ａ"の断熱材２Ａの端縁より水下側へ延在させた成形部３２が重合するように配設する。
そして、図６（ｅ）に示すように左右方向及び流れ方向に隣接する合計４枚の断熱パネル１Ａ，１Ａ，１Ａ"，１Ａ"に防水シート材６を一連に敷き渡す（跨る）ように敷設して融着固定した。
【００３９】
この図６に示した流れ方向端縁に表皮材３Ａが断熱材２Ａ端縁より延出する重合部３７を設けた断熱パネル１Ａ"は、流れ方向における接続を極めて容易に行うことができる。
さらに、図６（ｅ）に示したように、左右方向及び流れ方向における接続部分を防水シート材６で覆うので、雨水等が侵入するのを簡易的構造で防ぐことができ、断熱パネル１Ａ，１Ａ"によって構築される屋根面や壁面を接続部分が密封された状態の防水構造とすることができる。
【符号の説明】
【００４０】
１Ａ〜１Ｃ  断熱パネル
２Ａ〜２Ｃ  断熱材
２１  薄肉部
３Ａ〜３Ｃ  表皮材
３１  面板部
３２  成形部
３３  水返し部
３４  段部
３５  第２水返し部
３６，３６'  排水部分
４  連結材
５，５'  固定具
６，６'  防水シート材
【図１】
0005839346.tif 000002
【図２】
0005839346.tif 000003
【図３】
0005839346.tif 000004
【図４】
0005839346.tif 000005
【図５】
0005839346.tif 000006
【図６】
0005839346.tif 000007